(57)【要約】【課題】  浄水場等で発生する汚泥を、天日乾燥の手法を用いつつ、従来より短期間で乾燥させることのできる乾燥方法を提供する。【解決手段】  大量の水Ｗを含んだ汚泥Ｍを天日によって乾燥させる方法であって、排水口２を有する乾燥槽１の床に、所定厚さの敷砂３を敷き、前記敷砂３に、水透過性の濾過布材で形成した筒状の濾筒１１に濾過砂１２を充満する砂パイプ１０を立設し、前記敷砂３の上に、前記汚泥Ｍを投入し、前記汚泥Ｍに含まれる水Ｗを、前記砂パイプ１０および前記敷砂３を透して前記排水口２から排出する。【選択図】        図１
2006239634.tif 000002
【特許請求の範囲】
【請求項１】
大量の水を含んだ汚泥を天日によって乾燥させる方法であって、
排水口を有する乾燥槽の床に、所定厚さの敷砂を敷き、
前記敷砂に、水透過性の濾過布材で形成した筒状の濾筒に濾過砂を充満してなる砂パイプを立設し、
前記敷砂の上に、前記汚泥を投入し、
前記汚泥に含まれる水を、前記砂パイプおよび前記敷砂を透して前記排水口から排出することを特徴とする汚泥乾燥方法。
【請求項２】
前記濾筒を、ポリエチレンまたはポリエステルで形成したことを特徴とする請求項１に記載の汚泥乾燥方法。
【請求項３】
前記濾筒の上端開口部または下端開口部あるいはその両方を、水透過性の濾過布材で形成した蓋で塞いだことを特徴とする請求項１又は２に記載の汚泥乾燥方法。
【請求項４】
前記乾燥槽の一部または全体に、透明の屋根を設けたことを特徴とする請求項１乃至３のうちいずれか一つに記載の汚泥乾燥方法。
【請求項５】
前記濾過砂は、前記汚泥を固化したものであることを特徴とする請求項１乃至４のうちいずれか一つに記載の汚泥乾燥方法。
【請求項６】
前記砂パイプは、カプセル状で脱着可能であり、前記汚泥乾燥時に繰り返して使用可能であることを特徴とする請求項１乃至５のうちいずれか一つに記載の汚泥乾燥方法。
【発明の詳細な説明】
【技術分野】
【０００１】
本発明は、主として浄水場で発生する汚泥を、短期間で効果的に乾燥させることのできる汚泥乾燥方法に関するものである。
【背景技術】
【０００２】
浄水場で発生する汚泥は、通常、天日乾燥を得た後、埋め立て処分されたり、また、屋上緑化基盤土や鉢植土として再利用されている。この天日乾燥は、乾燥槽の床に敷砂を敷き詰め、その上に汚泥を投入し、当該汚泥の水分を敷砂を通して乾燥槽の排水口から排水しつつ、太陽光及び風により乾燥させるものである。
【０００３】
近年における水需要の増加により、浄水場の汚泥は増加し、その迅速な乾燥処理が要求されている。こうした要求に対応すべく、図４に示すように、筒体２１内に濾過砂２２を充満し、その周壁に複数の孔２３を穿設した砂パイプ２０を敷砂に立て、汚泥の水をその孔を通して敷砂に導くことによって短期間で乾燥させる方法が考えられる。なお、この砂パイプ２０の筒体２１は、水透過性の材料で形成されたものではない。
【発明の開示】
【発明が解決しようとする課題】
【０００４】
しかしながら、浄水場で発生する汚泥が増加する一方の現代においては、この従来の乾燥方法をさらに改善する必要がある。
すなわち、従来の筒体２１の周壁に孔２３を穿設した砂パイプ２０を使用した乾燥方法では、含水率９５％程度の汚泥を７５％程度まで乾燥させるために４〜５月といった長期間を必要としている。従って、その期間をさらに短縮及び簡易に乾燥することのできる乾燥方法が求められている。
【０００５】
そこで、本発明の目的とするところは、浄水場等で発生する汚泥を、天日乾燥の手法を用いつつ、従来より短期間で乾燥させることのできる乾燥方法を提供することにある。
【課題を解決するための手段】
【０００６】
上記の目的を達成するために、請求項１に記載の汚泥乾燥方法は、大量の水（Ｗ）を含んだ汚泥（Ｍ）を天日によって乾燥させる方法であって、排水口（２）を有する乾燥槽（１）の床に、所定厚さの敷砂（３）を敷き、前記敷砂（３）に、水透過性の濾過布材で形成した筒状の濾筒（１１）に濾過砂（１２）を充満してなる砂パイプ（１０）を立設し、前記敷砂（３）の上に、前記汚泥（Ｍ）を投入し、前記汚泥（Ｍ）に含まれる水（Ｗ）を、前記砂パイプ（１０）および前記敷砂（３）を透して前記排水口（２）から排出することを特徴とする。
【０００７】
また、請求項２に記載の発明は、前記濾筒（１１）を、ポリエチレンまたはポリエステルで形成したことを特徴とする。
【０００８】
さらに、請求項３に記載の発明は、前記濾筒（１１）の上端開口部または下端開口部あるいはその両方を、水透過性の濾過布材で形成した蓋（１３，１４）で塞いだことを特徴とする。
【０００９】
またさらに、請求項４に記載の発明は、前記乾燥槽（１）の一部または全体に、透明の屋根（４）を設けたことを特徴とする。
【００１０】
また、請求項５に記載の発明は、前記濾過砂（１２）は、前記汚泥（Ｍ）を固化したものであることを特徴とする。
【００１１】
また、請求項６に記載の発明は、前記砂パイプ（１０）は、カプセル状で脱着可能であり、前記汚泥（Ｍ）乾燥時に繰り返して使用可能であることを特徴とする。
【００１２】
なお、カッコ内の記号は、図面および後述する発明を実施するための最良の形態に記載された対応要素または対応事項を示す。
【発明の効果】
【００１３】
本発明の請求項１に記載の汚泥乾燥方法によれば、排水口を有する乾燥槽の床に、所定厚さの敷砂を敷き、敷砂に、水透過性の濾過布材で形成した筒状の濾筒に濾過砂を充満してなる砂パイプを立設し、敷砂の上に、汚泥を投入し、汚泥に含まれる水を、砂パイプおよび敷砂を透して前記排水口から排出するので、当該汚泥の水を、濾筒の周壁全体から透過することができ、汚泥を従来より短期間でしかも簡易に乾燥させることができる。
【００１４】
すなわち、この乾燥方法では、砂パイプを水透過性の濾過布材で形成した濾筒を用いて構成したので、従来の筒体の周壁に孔を穿設した砂パイプと比較して、濾筒がその周壁全体で水を透過させる。そのため、乾燥期間を大幅に短縮することができる。
ちなみに、従来技術においては、含水率９５％程度の汚泥を７５％程度まで乾燥させるのに４〜５月必要としていたが、本発明では、２．５〜３月で同程度に乾燥させることができる。
【００１５】
また、汚泥を投入する前に、砂パイプを敷砂に立設するので、当該砂パイプを立設する際にそれを阻害するものがなく、よって立設作業が容易となる。
【００１６】
また、請求項２に記載の発明によれば、請求項１に記載の発明の作用効果に加えて、前記筒体を、ポリエチレンまたはポリエステルで形成したので、それらの優れた耐久性によって、長期間使用することができる。また、軽量であるため、立設作業を容易に行うことができる。さらに付着した汚泥の剥離性に優れるため、設置や撤去時の作業性がよい。
【００１７】
さらに、請求項３に記載の発明によれば、請求項１又は２に記載の発明の作用効果に加えて、前記濾筒の上端開口部または下端開口部あるいはその両方を、水透過性の濾過布材で形成した蓋で塞いだので、水の透過を妨げることなく、汚泥や敷砂が濾筒内へ侵入するのを防止することができ、また濾過砂が濾筒から漏出するのを防止することができる。
すなわち、濾筒の上端開口部を上蓋で塞ぐことによって、当該上端開口部から汚泥が侵入するのを防止することができる。また、濾筒の下端開口部を底蓋で塞ぐことによって、当該下端開口部から汚泥の水によって汚れた敷砂の侵入を防止することができ、さらに、濾筒内の濾過砂が漏出するのを防止することができる。これにより、濾過砂の汚れを防止し、汚泥の水を長期間にわたって良好に透過させることができる。また、汚泥の中に砂パイプが完全に埋まった状態であっても砂パイプの上端から汚泥が侵入することはないので問題ない。
【００１８】
またさらに、請求項４に記載の発明によれば、請求項１乃至３に記載の発明の作用効果に加えて、前記乾燥槽の一部または全体に、透明の屋根を設けたので、必要に応じて雨水の侵入を防止し、乾燥効率を高めることができる。なお、屋根は透明であるため、太陽光を遮らない。
【００１９】
また、請求項５に記載の発明によれば、請求項１乃至４に記載の発明の作用効果に加えて、前記砂パイプに充填された前記濾過砂は、前記汚泥を固化したものであるので、同じ性質を有する汚泥同士相性がよい。このため、砂パイプは目詰まりすることがほとんどなく、長期間に渡って使用することができる。
【００２０】
また、請求項６に記載の発明によれば、請求項１乃至５に記載の発明の作用効果に加えて、前記砂パイプは、カプセル状で脱着可能であり、前記汚泥乾燥時に繰り返して使用可能であるので、長期間に渡って使用することができ効率的である。
【発明を実施するための最良の形態】
【００２１】
図１乃至図３を参照して、本発明の実施形態に係る汚泥乾燥方法について説明する。図１はこの乾燥方法を実施している状態を示す斜視図であり、図２は、図１のＡ−Ａ線断面図である。
【００２２】
これは、浄水場で発生する大量の水Ｗを含んだ汚泥Ｍを天日によって乾燥させる方法であり、次の順序によって行われる。
まず、最深部に排水口２を有するコンクリート製の乾燥槽１の床に、０．２ｍ程度の厚さで敷砂３を敷く。乾燥槽１は、その一例として、縦６ｍ、横２０ｍ、高さ１．２ｍ程度の大きさとしている。
次に、敷砂３に砂パイプ１０を立設する。
続いて、この敷砂３の上に、浄水場から搬入した汚泥Ｍを０．６ｍ程度の深さまで投入する。通常、汚泥Ｍの投入は、立設した砂パイプ１０の上端より以下になるようにされるが、砂パイプ１０が汚泥Ｍの中に完全に埋まるようにしてもよい。
【００２３】
この砂パイプ１０は、水透過性の濾過布材で形成した筒状の濾筒１１の内部に濾過砂１２を充満して構成している。また、濾筒１１は、軽量で耐久性に優れるとともに付着した汚泥の剥離性に優れるポリエチレンやポリエステルで形成すると良い。なお、本実施形態における砂パイプ１０は、直径０．１ｍ程度、高さ０．８ｍ程度に設定しており、乾燥槽１に１５本程度立設している。
【００２４】
また、濾筒１１の上端開口部を水透過性の濾過布材で形成した上蓋１３で塞ぎ、下端を同じく水透過性の濾過布材で形成した底蓋１４で塞いでいる。濾筒１１の上端開口部を水透過性の濾過布材で形成した上蓋１３で塞ぐことにより、上述したように、砂パイプ１０を汚泥Ｍの中に完全に埋めることが可能となる。
これにより、汚泥Ｍや敷砂３が濾筒１１内に侵入して濾過砂１２を汚すことを防止している。
なお、図２に示すように、乾燥槽１にその一部または全体を覆う屋根４を設けることによって、雨水の浸入を防止することができる。
【００２５】
このようにして汚泥Ｍを乾燥槽１に投入することにより、汚泥Ｍに含まれる水Ｗが、砂パイプ１０の濾筒１１を透過して濾過砂１２に至り、その濾過砂１２を通過して敷砂３に達した後、乾燥槽１の床の最深部に形成された排水口２を通って外に円滑に排出されるようになっている。
濾過砂１２および敷砂３は共に水透過性が良いので、汚泥Ｍの水Ｗの多くは、この砂パイプ１０を透過して排水口２に至る。なお、乾燥槽１の床を排水口２に向けて下降傾斜させることによって、汚泥のＭの水Ｗを円滑に排水口２まで導くことができる。
【００２６】
本実施形態に係る汚泥乾燥方法によれば、砂パイプ１０を、水透過性の良い濾筒１１を用いて形成したので、当該濾筒１１の周壁全体から水Ｗを透過させることができる。
従って、汚泥Ｍを短期間で乾燥させることができる。
【００２７】
なお、砂パイプ１０はその下端部を敷砂３に立て、その上端部を水透過性の濾過布材で形成した上蓋１３で覆っているので、当該砂パイプ１０の中に汚泥Ｍが侵入することがない。従って、濾過砂１２が汚れ難く、長期間にわたって効率的に汚泥Ｍの水Ｗを透過して、当該汚泥Ｍを短期間で乾燥させることができる。
【００２８】
また、本実施形態では、上記実施形態では、砂パイプ１０を立設した後に汚泥Ｍを投入するので、砂パイプ１０を立設する際に、その周囲に阻害物が存在しない。よって、立設作業が容易となる。
【００２９】
また、砂パイプ１０に充填された濾過砂１２として、乾燥処理される、すなわち対象となる汚泥Ｍを固化したものを使用すると、同じ性質を有する汚泥同士相性がよいので、砂パイプ１０は目詰まりすることがほとんどなく、長期間に渡って使用することができる。
また、砂パイプ１０は、カプセル状で脱着可能であるので、前記汚泥乾燥時に繰り返して使用可能であり、長期間に渡って使用することができる。よって効率的である。
【００３０】
なお、本実施形態では、浄水場で発生する汚泥Ｍを例にとって説明したが、本発明の実施形態に係る汚泥乾燥方法は浄水場の汚泥のみでなく、例えば、下水処理場、火力，水力発電所、ダムなどのあらゆる場所で発生する汚泥を乾燥するのに適用することができる。なお、この方法は、同一方法で援速濾過池の容量アップにも利用できる。
【図面の簡単な説明】
【００３１】
【図１】本発明の実施形態に係る汚泥乾燥方法を実施している状態を示す斜視図である。
【図２】図１のＡ−Ａ線断面図である。
【図３】本発明の実施形態に係る汚泥乾燥方法で使用される砂パイプを示す斜視図である。
【図４】従来例に係る汚泥乾燥方法で使用される砂パイプを示す斜視図である。
【符号の説明】
【００３２】
１      乾燥槽
２      排水口
３      敷砂
４      屋根
１０      砂パイプ
１１      濾筒
１２      濾過砂
１３      上蓋
１４      底蓋
２０      砂パイプ
２１      筒体
２２      濾過砂
２３      孔
Ｍ      汚泥
Ｗ      水
【図１】
2006239634.tif 000003
【図２】
2006239634.tif 000004
【図３】
2006239634.tif 000005
【図４】
2006239634.tif 000006